(57)【特許請求の範囲】
【請求項１】
クロージャ内に設けられた光ファイバケーブルからシースを所定長さ剥ぎ取ってスロットコアのスロット溝内に収納された複数本あるうちの所定の光ファイバを取り出して切断し、その切断した光ファイバの一端を光ファイバドロップケーブルに接続後、該光ファイバドロップケーブルとの接続が不要となった場合に再び該光ファイバの一端を、切断した光ファイバの他端に繋ぐ光ファイバケーブルの光ファイバ再接続方法において、
前記クロージャの外側近傍の光ファイバケーブルのシースを一部剥ぎ取って前記切断された他端を有した光ファイバの他端を前記シースの一部を剥ぎ取った部分からクロージャ外へ引き出し、クロージャ外へ引き出した前記光ファイバの他端に、再接続用光ファイバを接続した後、この再接続用光ファイバを再び前記スロットコア又はシースに形成した光ファイバ戻し溝を通して前記クロージャ内へ戻し、クロージャ内で切断された前記光ファイバの一端に前記再接続用光ファイバを接続する
ことを特徴とする光ファイバケーブルの光ファイバ再接続方法。
【請求項２】
クロージャ内に設けられた光ファイバケーブルからシースを所定長さ剥ぎ取ってスロットコアのスロット溝内に収納された複数本あるうちの所定の光ファイバを取り出して切断し、その切断した光ファイバの一端を光ファイバドロップケーブルに接続後、該光ファイバドロップケーブルとの接続が不要となった場合に再び該光ファイバの一端を、切断した光ファイバの他端に繋ぐ光ファイバケーブルの光ファイバ再接続方法において、
前記クロージャの外側近傍の光ファイバケーブルのシースを一部剥ぎ取って前記切断された他端を有した光ファイバの他端を前記シースの一部を剥ぎ取った部分からクロージャ外へ引き出す一方で、前記クロージャ内で切断した前記光ファイバの一端に再接続用光ファイバを接続し、前記再接続用光ファイバを前記スロットコア又はシースに形成した光ファイバ戻し溝を通してクロージャ外側の前記シースを剥ぎ取った部分へ引き出し、クロージャ外で切断された前記光ファイバの他端に前記再接続用光ファイバを接続する
ことを特徴とする光ファイバケーブルの光ファイバ再接続方法。
【請求項３】
請求項１又は請求項２に記載の光ファイバケーブルの光ファイバ再接続方法であって、
前記再接続用光ファイバを接続した後に、この再接続用光ファイバをクロージャ内に引っ張って該クロージャ外でシースの所定長さを剥ぎ取った部位に弛む前記光ファイバの弛みを無くした後、当該シースを剥ぎ取った部位に補修用外被を被覆する
ことを特徴とする光ファイバケーブルの光ファイバ再接続方法。
【発明の詳細な説明】
【技術分野】
【０００１】
本発明は、クロージャ内の光ファイバケーブルから所定の光ファイバを取り出して光ファイバドロップケーブルと接続後に該光ファイバドロップケーブルとの接続が不要となった場合に、切断した光ファイバを接続し直す光ファイバケーブルの光ファイバ再接続方法に関する。
【背景技術】
【０００２】
近年、大容量データの送受信を可能とする光ファイバの家庭への引き込みが一般的になって来た。各家庭へ光ファイバを引き込むには、クロージャ（接続箱）内で光ファイバケーブルのシースを剥ぎ取ってスロットコアから所定の光ファイバを取り出し、その光ファイバを切断して一端に光ファイバドロップケーブルを接続し、該光ファイバドロップケーブルを各家庭に引き込むようにしている。この作業を行うことでＦＴＴＨ（Fiber To The Home）サービスが提供される。
【０００３】
ところで、光ファイバ加入者が通信業者との契約を解除することにより分岐配線（光ファイバドロップケーブル）が不要になった場合は、光ファイバドロップケーブルを切り離して切断した光ファイバを繋ぎ直す作業（この作業を下部のばし作業という）が必要になる（例えば特許文献１等に記載）。
【０００４】
特許文献１では、クロージャ内で切断されて残された光ファイバ（光ファイバドロップケーブルと接続されないで残った側の光ファイバ）を有効に利用するために、クロージャの長さを８０ｃｍ以上と長くすることにより、残された光ファイバの再接続作業を行うための作業長さを確保し、且つクロージャを長くすることで除去したシースの保護と内部で光ファイバの余長を収納可能としている。
【先行技術文献】
【特許文献】
【０００５】
【特許文献１】特開２００３−２１７２８号公報
【発明の概要】
【発明が解決しようとする課題】
【０００６】
しかし、近年、ネットワークの経済的な構築のため物品の小型化が進み、下部延ばし可能となる光ファイバを予め確保することは困難になって来ている。小さなクロージャの中で中間分岐した光ファイバは、光ファイバドロップケーブルと接続するために一方を長くするため、どうしても他方が短くなってしまう。そのため、長さの短い光ファイバの端部に一方の光ファイバの端部を接続することは出来ず、切断してしまった光ファイバはそのまま放置されるのが現状である。
【０００７】
そこで、本発明は、小型のクロージャを使用した場合でも光ファイバドロップケーブルとの接続が不要となることで切断された光ファイバ同士を接続して有効利用することのできる光ファイバケーブルの光ファイバ再接続方法を提供することを目的とする。
【課題を解決するための手段】
【０００８】
請求項１に記載の発明は、クロージャ内に設けられた光ファイバケーブルからシースを所定長さ剥ぎ取ってスロットコアのスロット溝内に収納された複数本あるうちの所定の光ファイバを取り出して切断し、その切断した光ファイバの一端を光ファイバドロップケーブルに接続後、該光ファイバドロップケーブルとの接続が不要となった場合に再び該光ファイバの一端を、切断した光ファイバの他端に繋ぐ光ファイバケーブルの光ファイバ再接続方法において、前記クロージャの外側近傍の光ファイバケーブルのシースを一部剥ぎ取って前記切断された他端を有した光ファイバの他端を前記シースの一部を剥ぎ取った部分からクロージャ外へ引き出し、クロージャ外へ引き出した前記光ファイバの他端に、再接続用光ファイバを接続した後、この再接続用光ファイバを再び前記スロットコア又はシースに形成した光ファイバ戻し溝を通して前記クロージャ内へ戻し、クロージャ内で切断された前記光ファイバの一端に前記再接続用光ファイバを接続することを特徴としている。
【０００９】
請求項２に記載の発明は、クロージャ内に設けられた光ファイバケーブルからシースを所定長さ剥ぎ取ってスロットコアのスロット溝内に収納された複数本あるうちの所定の光ファイバを取り出して切断し、その切断した光ファイバの一端を光ファイバドロップケーブルに接続後、該光ファイバドロップケーブルとの接続が不要となった場合に再び該光ファイバの一端を、切断した光ファイバの他端に繋ぐ光ファイバケーブルの光ファイバ再接続方法において、前記クロージャの外側近傍の光ファイバケーブルのシースを一部剥ぎ取って前記切断された他端を有した光ファイバの他端を前記シースの一部を剥ぎ取った部分からクロージャ外へ引き出す一方で、前記クロージャ内で切断した前記光ファイバの一端に再接続用光ファイバを接続し、前記再接続用光ファイバを前記スロットコア又はシースに形成した光ファイバ戻し溝を通してクロージャ外側の前記シースを剥ぎ取った部分へ引き出し、クロージャ外で切断された前記光ファイバの他端に前記再接続用光ファイバを接続することを特徴としている。
【００１０】
請求項３に記載の発明は、請求項１又は請求項２に記載の光ファイバケーブルの光ファイバ再接続方法であって、前記再接続用光ファイバを接続した後に、この再接続用光ファイバをクロージャ内に引っ張って該クロージャ外でシースの所定長さを剥ぎ取った部位に弛む前記光ファイバの弛みを無くした後、当該シースを剥ぎ取った部位に補修用外被を被覆することを特徴としている。
【発明の効果】
【００１１】
本発明の光ファイバケーブルの光ファイバ再接続方法によれば、クロージャの外側近傍の光ファイバケーブルのシースを一部剥ぎ取って切断された他端を有した光ファイバの他端を前記シースの一部を剥ぎ取った部分からクロージャ外へ引き出し、その引き出した光ファイバの他端に、再接続用光ファイバを接続した後、この再接続用光ファイバを再びスロットコア又はシースに形成した光ファイバ戻し溝を通して前記クロージャ内へ戻し、クロージャ内で切断された光ファイバの一端に再接続用光ファイバを接続すれば、小型のクロージャであっても切断された光ファイバを接続して再利用することができる。
【００１２】
また、光ファイバケーブルの光ファイバ再接続方法によれば、クロージャの外側近傍の光ファイバケーブルのシースを一部剥ぎ取って切断された他端を有した光ファイバの他端を前記シースの一部を剥ぎ取った部分からクロージャ外へ引き出す一方で、クロージャ内で切断した光ファイバの一端に再接続用光ファイバを接続し、その再接続用光ファイバをスロットコア又はシースに形成した光ファイバ戻し溝を通してクロージャ外側の前記シースを剥ぎ取った部分へ引き出し、クロージャ外で切断された光ファイバの他端に再接続用光ファイバを接続すれば、小型のクロージャであっても切断された光ファイバを接続して再利用することができる。
【図面の簡単な説明】
【００１３】
【図１】図１はクロージャ内に設けられた光ファイバケーブルを中間分岐して取り出した光ファイバに光ファイバドロップケーブルを接続して家庭内へ光ファイバを引き込んだ例を簡単に示す配線図である。
【図２】図２は図１の配線図のうちクロージャ内で中間分岐して取り出した光ファイバに光ファイバドロップケーブルを接続した状態を示す図である。
【図３】図３はクロージャ内で中間分岐させる光ファイバケーブルの一例を一部判断して示す斜視図である。
【図４】図４はクロージャの外側近傍の光ファイバケーブルのシースを一部剥ぎ取る手順を順次示す工程図である。
【図５】図５は第１の再接続方法で光ファイバを再接続する手順を順次示す工程図である。
【図６】図６は図５で示した（Ｂ）工程、（Ｃ）工程及び（Ｄ）工程の光ファイバケーブルの斜視図である。
【図７】図７は第２の再接続方法で光ファイバを再接続する手順を順次示す工程図である。
【図８】図８は図７で示した（Ｂ）工程及び（Ｃ）工程の光ファイバケーブルの斜視図である。
【図９】図９は本発明の再接続方法をＳＺ型の光ファイバケーブルにも適用することができることを説明するのに使用したＳＺ型の光ファイバケーブルの拡大断面図である。
【発明を実施するための形態】
【００１４】
以下、本発明を適用した具体的な実施形態について図面を参照しながら詳細に説明する。
【００１５】
［家屋等への光ファイバの引き落とし説明］
図１には、ＦＴＴＨ（Fiber To The Home）の一般的な光ファイバケーブルの配線図を示し、図２には、図１の配線図のうちクロージャ内で中間分岐して取り出した光ファイバに光ファイバドロップケーブルを接続した状態を示す。
【００１６】
通信事業者の局舎１からユーザの家屋２やオフィスビル３まで光ファイバを引き込むには、地中４や電柱５に光ファイバケーブル６を施設し、クロージャ７内で光ファイバケーブル６を中間分岐して取り出した光ファイバ８（図２参照）に光ファイバドロップケーブル９を接続して、この光ファイバドロップケーブル９を家屋２やオフィスビル３へ配索する。
【００１７】
［光ファイバケーブルの構成説明］
光ファイバケーブル６は、図３に示すように、ケーブル部１０と、このケーブル部１０を支持する支持線部１１と、ケーブル部１０を支持線部１１に適当な間隔で支持させるための首部１２とから構成され、共通のポリオレフィン（ＰＯ）等の樹脂から形成されるシース１３で一体化されている。
【００１８】
支持線部１１は、断面円形の支持線（一般には鋼線）１４と、この支持線１４を被覆するシース１３とからなる。首部１２は、ケーブル部１０と支持線部１１を略平行となるように連結させる。かかる首部１２は、ケーブル部１０と支持線部１１との間に適当な間隔で設けられることで、各首部１２間に形成された窓部１５の作用により風の影響を受け難くする。例えば、光ファイバケーブル６に雪や氷が付着した状態で強風が吹き寄せたときに、ケーブルが上下に激しく自励振動する現象（ギャロッピング現象）を抑制できる。
【００１９】
ケーブル部１０は、光ファイバ８及び吸水材１６をスロット溝１７内に収納して保持するスロットコア１８と、該スロット溝１７の開口部を覆う押さえテープ１９を含めてスロットコア全体を被覆したシース１３と、スロットコア１８に埋設された抗張力体２０とを有している。
【００２０】
光ファイバ８としては、光ファイバ素線、光ファイバ心線、光ファイバテープ心線などがある。光ファイバ素線は、石英ガラスファイバの上に紫外線硬化樹脂を被覆したものである。光ファイバ心線は、石英ガラスファイバの上にプラスチック樹脂を被覆してその直径を光ファイバ素線よりも大としたものである。光ファイバテープ心線は、光ファイバ素線を平行に数個並べて紫外線硬化樹脂で被覆したものである。図３では、光ファイバ心線をスロット溝１７内に収納した例としている。
【００２１】
スロットコア１８は、光ファイバ８を内部に収納して保持する保持部材であり、ケーブル部１０の中心点からずれた位置に中心点を持つ円弧とされたスロット溝１７を有している。このスロットコア１８は、押出成形にて形成され、その長手方向に垂直な断面をＣ型断面形状としている。
【００２２】
前記スロットコア１８には、光ファイバケーブル６を布設した場所で受ける熱等の影響でシース１３が熱収縮して該光ファイバケーブル自体が変形するのを抑制するために、テンションメンバーである抗張力体２０が埋め込まれている。抗張力体２０は、例えば鋼線やＦＲＰ等の線材からなり、前記光ファイバケーブル６のケーブル長手方向にその長手方向を向けて設けられている。
【００２３】
吸水材１６は、スロット溝１７の入口側に配置されている。かかる吸水材１６は、スロット溝１７内に存在する水分を吸収する細長い糸等からなる。押さえテープ１９は、スロットコア全体をシース１３で被覆する際にシースを構成する樹脂がスロット溝１７内に入り込むのを防止するために、前記スロット溝１７の入口部分全体を覆うようにケーブル長手方向に沿って設けられている。
【００２４】
そして特に、本実施形態の光ファイバケーブル６では、後述する光ファイバ戻し溝２１を前記スロットコア１８に形成している。光ファイバ戻し溝２１は、スロット溝１７とは別の部位に形成されており、後述する再接続用光ファイバ２４と前記光ファイバ６の接続部分２５を収納させる得るに充分大きな溝として形成されている。図３では、スロットコア１８のうち抗張力体２０の両側位置に、シース１３の内面１３ａに開口が向く断面Ｕ字形状の溝として前記光ファイバ戻し溝２１を、ケーブル長手方向に沿って連続して形成した。
【００２５】
また、光ファイバ戻し溝２１は、前記スロットコア１８に形成する他、図示は省略するが前記シース１３の内面１３ａに形成することもできる。また、光ファイバ戻し溝２１は、前記スロット溝１７の内部空間に余裕があれば、このスロット溝１７自体を光ファイバ戻し溝として利用してもよい。
【００２６】
［第１の再接続方法の説明］
次に、以上のように構成された光ファイバケーブル６のシース１３を所定長さ剥ぎ取ってスロットコア１８のスロット溝１７内に収納された複数本あるうちの所定の光ファイバ８を取り出して切断し、その切断した光ファイバ８の一端（局側端）８Ａを光ファイバドロップケーブル９に接続後（図２の状態）、加入者が通信業者との契約解除等によって該光ファイバドロップケーブル９との接続が不要になった場合に、再び光ファイバ８の一端８Ａを、切断した光ファイバ８の他端（加入者側端）８Ｂに繋ぐ光ファイバ再接続方法について説明する。図４はクロージャの外側近傍の光ファイバケーブルのシースを一部剥ぎ取る手順を順次示す工程図、図５は第１の再接続方法で光ファイバを接続する手順を順次示す工程図である。
【００２７】
先ず、クロージャ７の外側近傍の光ファイバケーブル６のケーブル部１０のシース１３を一部剥ぎ取る。この時、クロージャ７から余りにも離れている部位のシース１３を剥ぎ取るのではなく、出来るだけクロージャ７近傍のシース１３の一部を剥ぎ取るようにする。シース１３の一部を剥ぎ取るには、先ず図４（Ａ）に示すように、カッター２２の刃先をスロットコア１８に達する位置までシース１３に切り込んで当該カッター２２を矢印Ａで示すようにケーブル周方向に回転させて当該シース１３を輪切りにする。次に、図４（Ｂ）に示すように、カッター２２をスロット溝１７とは反対側からシース１３に切り込んでケーブル長手方向に当該シース１３を縦裂きにする。
【００２８】
次に、図４（Ｃ）に示すように、切り裂いたシース１３の一部を上方へ持ち上げる。そして最後に、図４（Ｄ）に示すように、カッター２２の刃先をスロットコア１８に達する位置までシース１３に切り込んで当該カッター２２をケーブル周方向に回転させてシース１３を輪切りにした後、当該シース１３を剥ぎ取る。その結果、図５（Ａ）に示すように、クロージャ７近傍のケーブル部１０のシース１３の一部が剥ぎ取られ、スロット溝１７内の光ファイバ８の取り出しが可能となる。また、シース１３が剥ぎ取られたシース剥取り部分２３には、前記スロットコア１８に形成された光ファイバ戻し溝２１が露出することになる。
【００２９】
次に、前記シース剥取り部分２３からスロット溝１７内に収納された複数本あるうちの光ファイバ８からクロージャ７内で切断されて残った加入者側の光ファイバ８を、図５（Ｂ）に示すように、スロット溝１７の外へと引き出す。この時、クロージャ７近傍部のシース１３の一部を剥ぎ取っているため、光ファイバ８のスロット溝１７外への引き出し作業が容易に行える。図６（Ａ）は、光ファイバ８をスロット溝１７の外に引き出した時の光ファイバケーブル６の斜視図である。
【００３０】
次に、クロージャ７の外へ引き出した光ファイバ８の他端８Ｂに、図５（Ｃ）に示すように、再接続用光ファイバ２４を接続する。再接続用光ファイバ２４は、光ファイバドロップケーブル９との接続が不要になった光ファイバ８の一端８Ａに、切断されて残った光ファイバ８の他端８Ｂを繋ぎ合わせるための光ファイバである。このため、再接続用光ファイバ２４は、光ファイバ同士を接続することが可能な程度の長さであれば良い。図６（Ｂ）は、クロージャ７の外側で光ファイバ８の端部８Ｂに再接続用光ファイバ２４を接続した時の光ファイバケーブル６の斜視図である。
【００３１】
そして、図５（Ｄ）に示すように、再接続用光ファイバ２４を前記した光ファイバ戻し溝２１を通して前記クロージャ７内へ戻す。再接続用光ファイバ２４をクロージャ７内へ戻すには、シース１３の一部が剥ぎ取られて露出したスロットコア１８に形成した光ファイバ戻し溝２１に、前記再接続用光ファイバ２４を入れてクロージャ７内へと押し込む。光ファイバ戻し溝２１は、光ファイバ８と再接続用光ファイバ２４の接続部分２５を収納させ得る大きさとされているため、最も太くなる前記接続部分２５を通過させることができる。また、再接続用光ファイバ２４は、何も入っていない光ファイバ戻し溝２１に通されるので、途中で引っ掛かることなくスムーズに挿通される。
【００３２】
次に、クロージャ７内で切断された光ファイバ８の一端８Ａに、クロージャ７内へ再び引き戻された光ファイバ８の他端８Ｂを接続する。具体的には、局舎側の光ファイバ８の一端８Ａに、加入者側の光ファイバ８の他端８Ｂに接続された再接続用光ファイバ２４をクロージャ７内で接続する。このとき、切断されて長さが短くなった光ファイバ８の他端８Ｂには再接続用光ファイバ２４が接続されているため、この再接続用光ファイバ２４によって切断された光ファイバ８同士の再接続作業を容易に行うことが可能となる。図６（Ｃ）は、切断された光ファイバ８が再接続用光ファイバ２４によって接続された時の光ファイバケーブル６の斜視図である。
【００３３】
次に、再接続用光ファイバ２４を接続後、この再接続用光ファイバ２４をクロージャ７内に引っ張って該クロージャ７外でシース剥取り部分２３に弛む光ファイバ８の弛みを無くす。そして最後に、シース剥取り部分２３に補修用外被２６を被覆する。補修用外被２６には、熱を掛けることにより収縮する熱収縮部材や耐候性に優れた樹脂テープ或いは小型ケース等が使用される。この補修用外被２６でシース剥取り部分２３を被覆することで、剥ぎ取られた部位の光ファイバ８を保護することができる。
【００３４】
［第２の再接続方法の説明］
光ファイバ８を再接続する方法には、前記した第１の再接続方法以外に第２の再接続方法もある。以下に、第２の再接続方法について説明する。図７は第２の再接続方法で光ファイバを接続する手順を順次示す工程図、図８は図７で示した（Ｂ）工程及び（Ｃ）工程の光ファイバケーブルの斜視図である。
【００３５】
第２の再接続方法では、先ず、図７（Ａ）に示すように、クロージャ７の外側近傍の光ファイバケーブル６のケーブル部１０のシース１３を一部剥ぎ取る。この工程は、先に説明した図５（Ａ）工程と同じであるため、詳細な説明は省略する。その結果、図７（Ａ）に示すように、クロージャ７近傍のケーブル部１０のシース１３の一部が剥ぎ取られ、スロット溝１７内の光ファイバ８の取り出しが可能となる。また、シース１３が剥ぎ取られたシース剥取り部分２３には、前記スロットコア１８に形成された光ファイバ戻し溝２１が露出することになる。
【００３６】
次に、シース剥取り部分２３からスロット溝１７内に収納された複数本あるうちの光ファイバ８からクロージャ７内で切断されて残った加入者側の光ファイバ８を、図７（Ｂ）に示すように、スロット溝１７の外へと引き出す。この時、クロージャ７近傍部のシース１３の一部を剥ぎ取っているため、光ファイバ８のスロット溝１７外への引き出し作業が容易に行える。
【００３７】
また、前記光ファイバ８のクロージャ７外への引き出し工程前または後に、光ファイバドロップケーブル９との接続が不要となった光ファイバ８の一端８Ａに、図７（Ｂ）に示すように再接続用光ファイバ２４を接続する。ここで使用する再接続用光ファイバ２４は、第１の再接続方法で使用したものと同じものを使用する。図８（Ａ）は、光ファイバ８をスロット溝１７の外に引き出し且つ再接続用光ファイバ２４を接続した時の光ファイバケーブル６の斜視図である。
【００３８】
次に、図７（Ｃ）に示すように、再接続用光ファイバ２４を前記光ファイバ戻し溝２１を通してクロージャ７外側のシース剥取り部分２３へ引き出す。再接続用光ファイバ２４をクロージャ７外側のシース剥取り部分２３へ引き出すには、光ファイバ戻し溝２１に再接続用光ファイバ２４を入れてクロージャ７外側へと押し出す。この時、再接続用光ファイバ２４は、何も入っていない光ファイバ戻し溝２１に通されるので、途中で引っ掛かることなくスムーズに挿通される。
【００３９】
そして、シース剥取り部分２３に引き出された再接続用光ファイバ２４を、加入者側の光ファイバ８の他端８Ｂに接続する。ここでは、クロージャ７の外側で再接続用光ファイバ２４と光ファイバ８の他端８Ｂを接続するので、邪魔な物が無くその接続作業を容易に行うことができる。その結果、光ファイバ８の一端８Ａは、再接続用光ファイバ２４を介して該光ファイバ８の他端８Ｂと接続される。図８（Ｂ）は、クロージャ７の外側で光ファイバ８の端部８Ｂに再接続用光ファイバ２４を接続した時の光ファイバケーブル６の斜視図である。
【００４０】
次に、図７（Ｄ）に示すように、再接続用光ファイバ２４をクロージャ７内に引っ張って該クロージャ７外でシース剥取り部分２３に弛む光ファイバ８の弛みを無くす。この時、光ファイバ８の他端８Ｂと再接続用光ファイバ２４の接続部分２５は最も太くなるが、光ファイバ戻し溝２１はこの接続部分２５を収納させ得る大きさとされていることから引っ掛かることなく、前記接続部分２５を挿通させることができる。そして最後に、シース剥取り部分２３に補修用外被２６を被覆する。補修用外被２６は、第１の再接続方法で用いたものと同じ物を使用する。この補修用外被２６でシース剥取り部分２３を被覆することで、剥ぎ取られた部位の光ファイバ８を保護することができる。
【００４１】
［本実施形態の効果］
本実施形態の第１の再接続方法によれば、クロージャ７の外側近傍の光ファイバケーブル６のシース１３を一部剥ぎ取って切断された他端８Ｂを有した光ファイバ８をクロージャ７から外へ引き出し、その引き出した光ファイバ８の他端８Ｂに、再接続用光ファイバ２４を接続した後、この再接続用光ファイバ２４を再びスロットコア１８又はシース１３に形成した光ファイバ戻し溝２１を通して前記クロージャ７内へ戻し、クロージャ７内で切断された光ファイバ８の一端８Ａに再接続用光ファイバ２４を接続すれば、小型のクロージャ７であっても切断された光ファイバ８を接続して再利用することができる。これまでは、光ファイバ加入者が通信業者と契約解除すると、切断された光ファイバ８はクロージャ７内においてその長さが足りないため、そのまま使用されずに放置されていた。しかし、本発明では、契約解除により使用されなくなった光ファイバ８を接続して使用することが可能となった。これにより、光ファイバ８の無駄を無くすことができ、その後に、別の加入者の家屋に光ファイバを引き込むことが可能となる。
【００４２】
また、本実施形態の第２の再接続方法によれば、クロージャ７の外側近傍の光ファイバケーブル６のシース１３を一部剥ぎ取って切断された他端８Ｂを有した光ファイバ８をクロージャ７から外へ引き出す一方で、クロージャ７内で切断した光ファイバ８の一端８Ａに再接続用光ファイバ２４を接続し、その再接続用光ファイバ２４をスロットコア１８又はシース１３に形成した光ファイバ戻し溝２１を通してクロージャ７外側の前記シース１３を剥ぎ取った部分へ引き出し、クロージャ７外で切断された光ファイバ８の他端８Ｂに再接続用光ファイバ２４を接続すれば、小型のクロージャ７であっても切断された光ファイバ８を接続して再利用することができる。
【００４３】
また、本実施形態の第１及び第２の再接続方法によれば、何れも再接続用光ファイバ２４をクロージャ７内に引っ張って該クロージャ７外でシース１３の所定長さを剥ぎ取った部位に弛む光ファイバ８の弛みを無くした後、シース剥取り部分２３に補修用外被２６を被覆しているので、この補修用外被２６でシース剥取り部分２３を元通りにすることができる。
【００４４】
また、本実施形態の光ファイバケーブルによれば、スロットコア１８又はシース１３に光ファイバ戻し溝２１を形成しているので、この光ファイバ戻し溝２１を通して光ファイバ８の他端８Ｂに接続した再接続用光ファイバ２４又はクロージャ７内で切断した光ファイバ８の一端８Ａに接続した再接続用光ファイバ２４を通すことができる。これにより、切断された光ファイバ８の一端８Ａと他端８Ｂを再接続用光ファイバ２４を介して接続させて、当該光ファイバ８を再利用可能にすることができる。
【００４５】
また、本実施形態の光ファイバケーブルによれば、光ファイバ戻し溝２１を、光ファイバ８と再接続用光ファイバ２４の接続部分２５を収納させ得る大きさとしているので、光ファイバ８よりも太くなった接続部分２５も前記光ファイバ戻し溝２１に通すことができる。また、この光ファイバケーブルによれば、光ファイバ戻し溝２１をスロット溝１７とは異なる位置に形成しているので、この光ファイバ戻し溝２１には何ら邪魔になる物がないことから再接続用光ファイバ２４の通線が容易になる。
【００４６】
また、本実施形態の光ファイバケーブルによれば、スロット溝１７を光ファイバ戻し溝２１として利用した場合は、スロットコア１８又はシース１３に溝加工等をしなくてもそのままスロット溝１７を、再接続用光ファイバ２４を通す光ファイバ戻し溝２１として利用することができる。
【００４７】
以上、本発明を適用した具体的な実施形態について説明したが、本発明は上述した実施形態に限定されるものではない。例えば、前記した実施形態では、支持線部１１を有した光ファイバケーブル６を例にとって本発明を説明したが、前記支持線部１１の無い構造の光ファイバケーブルに対しても本発明を提供することができる。また、本発明は、Ｃ型スロット溝１７としたスロットコア１８を有した光ファイバケーブル６としたが、これに限定されることはなく、例えばジェリーを充填したルースチューブケーブルに対しても本発明を適用することができる。
【００４８】
この他、図９に示す如きＳＺ型の光ファイバケーブルにも本発明である第１及び第２の再接続方法を適用することができる。ＳＺ型の光ファイバケーブル３０は、断面円柱形状をなすスロットコア３１の外周面に等間隔で断面コ字状をなす５つのスロット溝３２をケーブル長手方向に沿って形成し、その各スロット溝３２内に複数本の光ファイバテープ心線３３を積層して配置させた構造とされている。また、スロットコア３１の中心には、テンションメンバである抗張力体３４がケーブル長手方向に設けられている。また、このＳＺ型の光ファイバケーブル３０では、スロットコア３１の外周面を覆うように不織布などの押え巻きテープ３５を介在させて、当該スロットコア３１全体をシース３６で覆った構造となっている。更に、スロットコア３１には、各スロット溝３２の邪魔にならない位置に光ファイバ戻し溝２１が形成されている。
【００４９】
このように構成されたＳＺ型の光ファイバケーブル３０においても、Ｃスロット型の光ファイバケーブルと同様、前記した図５及び図６の各工程からなる第１の再接続方法と、前記した図７及び図８の各工程からなる第２の再接続方法にて、光ファイバドロップケーブルとの接続が不要となることで切断された光ファイバ同士を再接続することが可能となる。
【産業上の利用可能性】
【００５０】
本発明は、光ファイバドロップケーブルとの接続が不要となることで切断された光ファイバ同士を接続する光ファイバケーブルの光ファイバ再接続法に利用することができる。
【符号の説明】
【００５１】
１…局舎
２…家屋
６…光ファイバケーブル
７…クロージャ
８…光ファイバ
８Ａ…光ファイバの一端
８Ｂ…光ファイバの他端
９…光ファイバドロップケーブル
１０…ケーブル部
１１…支持線部
１３…シース
１７…スロット溝
１８…スロットコア
２１…光ファイバ戻し溝
２３…シース剥取り部分
２４…再接続用光ファイバ
２５…光ファイバと再接続用光ファイバの接続部分
２６…補修用外被
【図１】
0005480759.tif 000002
【図２】
0005480759.tif 000003
【図３】
0005480759.tif 000004
【図４】
0005480759.tif 000005
【図５】
0005480759.tif 000006
【図６】
0005480759.tif 000007
【図７】
0005480759.tif 000008
【図８】
0005480759.tif 000009
【図９】
0005480759.tif 000010